(57)【特許請求の範囲】
【請求項１】
回転ドラムの一端の入口側から可燃物を含む被乾燥物を投入し、回転ドラムを回転させながら被乾燥物を熱風で乾燥させ他端の出口側に排出する連続式ドラム乾燥機において、回転ドラム出口側内面に、ドラムの正転時には被乾燥物を入口方向に送り返し、逆転時には出口側に送リ出すよう傾斜させた単独羽根からなる複数のリフタを設けて、乾燥運転時には回転ドラムを正転させ被乾燥物を回転ドラム内で落下させて熱風と接触させるものとし、かつ、運転停止時には回転ドラムを逆転させて加熱された可燃物を速やかに出口側から排出するものとしたことを特徴とするドラム乾燥機。
【請求項２】
前記回転ドラムの出口側端面には、内周面に対して所定の高さの環状堰板を同心円状に設けるとともに、この堰板には複数の切り欠き部を設け、かつ切り欠き部の内側に、回転ドラムの正転時には被乾燥物を入口方向に押し戻し、逆転時には切り欠き部に誘導するよう傾斜させた誘導羽根を取り付けた請求項１に記載のドラム乾燥機。
【発明の詳細な説明】
【０００１】
【発明の属する技術分野】
本発明は、都市ゴミなどの処理施設に設置され、可燃性ゴミを含む廃棄物の乾燥に供されるドラム乾燥機に関する。
【０００２】
【従来の技術】
従来、可燃性廃棄物の焼却処理や固形化処理の前工程の乾燥処理に熱風式のドラム乾燥機が用いられている。このドラム乾燥機では、回転可能に支持した回転ドラムを回転させながら、一端から被乾燥物を投入し、他端から熱風を送り込んで被乾燥物を乾燥させ、他端側の出口から排出させるよう構成されている。
このようなドラム乾燥機の場合、乾燥運転中に何らかの理由で運転を停止した場合、ドラムの出口側付近に加熱された乾燥状態の可燃物がかたまって堆積した状態で放置されることになる。この場合、加熱用熱風の供給が停止されても、ドラム内部が高温であることなどから、前記堆積した乾燥物が自然に発火し火災を惹起するおそれがあった。
【０００３】
本発明出願人は、このような火災問題に対処するため、先に特願平９−２０１２９９号として改良した構造のドラム式熱風乾燥機を提案している。
このドラム式熱風乾燥機を図３によって説明すると、ほぼ水平に設置された円筒状回転ドラム１１は、左右２か所で支持ローラ１２、１２により回転自在に支持され、駆動モータ１３にチェンを介して連結された外周ギャ１４によって、正転、逆転可能に設定されている。
さらに、この回転ドラム１１には、一端に被乾燥物の投入口１５が設けられ、投入された被乾燥物は、内部を貫通して配設された攪拌軸１６に取り付けられた複数の攪拌羽根１６ａ、１６ａ、・・・によって、排出側に徐々に移送され、他端に設けられた排出口１７から排出される。そして、この間に、回転ドラム１１の排出側に設けた熱風ノズル１７ａから２００〜６００℃の熱風が吹き込まれ、乾燥が進むのである。
【０００４】
先に提案したドラム式熱風乾燥機では、この回転ドラム１１の排出側に近い部分の内周面には、連続らせん羽根１８が設けてあり、通常運転時の回転ドラムの正回転時には被乾燥物を逆流させ、また回転ドラムの逆回転時には被乾燥物を排出側に移送させるよう設定し、前記したような以上停止時には、回転ドラム１１を逆回転させ、排出側付近の被乾燥物を速やかに排出して、火災発生を防止するようにしたのである。
【０００５】
火災防止のために設けられた連続らせん羽根１８の場合には、ピッチを狭く設定すると、逆回転時の排出効率が向上するものの、被乾燥物をすくい上げる作用が少ないことから、回転ドラムの長さが大型になる割りには、正回転時の乾燥効率が向上しないことになり、またピッチを大きく設定すると、逆回転時の排出効率が低下するうえ、正回転時の被乾燥物をすくい上げる羽根の段数が少なくなることから、乾燥効率も向上しないという不都合な点があった。
【０００６】
【発明が解決しようとする課題】
本発明は、上記の問題点を解決するためになされたものであり、逆回転させて被乾燥物を排出できるドラム乾燥機において、正回転時における乾燥効率を向上させることができる構造を提供する。
【０００７】
【課題を解決するための手段】
上記の問題は、回転ドラムの一端の入口側から可燃物を含む被乾燥物を投入し、回転ドラムを回転させながら被乾燥物を熱風で乾燥させ他端の出口側に排出する連続式ドラム乾燥機において、回転ドラム出口側内面に、ドラムの正転時には被乾燥物を入口方向に送り返し、逆転時には出口側に送リ出すよう傾斜させた単独羽根からなる複数のリフタを設けて、乾燥運転時には回転ドラムを正転させ被乾燥物を回転ドラム内で落下させて熱風と接触させるものとし、かつ、運転停止時には回転ドラムを逆転させて加熱された可燃物を速やかに出口側から排出するものとしたことを特徴とする本発明のドラム乾燥機によって解決することができる。
【０００８】
そして、本発明は、前記回転ドラムの出口側端面には、内周面に対して所定の高さの環状堰板を同心円状に設けるとともに、この堰板には複数の切り欠き部を設け、かつ切り欠き部の内側に、回転ドラムの正転時には被乾燥物を入口方向に押し戻し、逆転時には切り欠き部に誘導するよう傾斜させた誘導羽根を取り付けた形態のドラム乾燥機として具体化することができる。
【０００９】
【発明の実施の形態】
次に、本発明のドラム乾燥機に係る実施形態について、図１、２を参照しながら説明する。
本発明のドラム乾燥機は、回転ドラム出口側内面の後記の構造を除き、例えば、図３に例示される従来のドラム乾燥機に適用される。すなわち、２か所で支持ローラ１２、１２により回転自在に支持された円筒状回転ドラム１１は、駆動モータ１３にチェンを介して連結された外周ギャ１４によって、正転、逆転可能に設定されており、この回転ドラム１１の一端に被乾燥物の投入口１５が設けられ、投入された被乾燥物は、内部を貫通して配設された攪拌軸１６に取り付けられた複数の攪拌羽根１６ａ、１６ａ、・・・によって、排出側に徐々に移送され、この間に熱風ノズル１７ａから吹き込まれる２００〜６００℃の熱風によって乾燥が進み、他端に設けられた排出口１７から排出されるものである。
【００１０】
そして、本発明の特徴とするところは、回転ドラム１１の排出側内部を示す図１を参照すると、回転ドラム出口２１側内面に、回転ドラム１１の正転時には被乾燥物を入口方向に送り返し、逆転時には出口２１側に送り出すよう傾斜させた単独羽根からなる複数のリフタ３１、３１、・・を設けた点にある。図１では、リフタ３１は、内周面に８個設けられているが、このリフタ３１の配置個数、長さ、高さ、傾斜度などの諸条件は、投入される被乾燥物の性状に応じて、予め設計されるものである。
【００１１】
そして、本発明において重要な事項は、このリフタが単独羽根によって形成されている点にあり、このことによって、従来の連続らせん羽根の場合と異なり、回転ドラムの回転に伴い、この単独羽根のリフタによって、底部の被乾燥物を上方に掻き上げ、次いで上方から底部に向けて落下させるように、被乾燥物を回転ドラム内で運動させることができる。この結果、回転ドラム内を通過する熱風との接触が改善され、乾燥効率が顕著に向上するのである。
そして、本発明の場合も、乾燥運転中に何らかの理由で運転を停止した場合、逆回転させれば、ドラムの出口側付近に加熱された乾燥状態の可燃物を速やかに排出でき、堆積した状態で放置されないので、自然発火のようなトラブルは防止できるのである。
【００１２】
また、本発明は、回転ドラムの出口側端面斜視図、図２に示すように、前記回転ドラム１１の出口側端面には、外周面から所定の高さに環状堰板４を同心円状に設けるとともに、この堰板には複数の切り欠き部４１を設け、かつこの切り欠き部４１の内側に、回転ドラムの正転時には被乾燥物を入口方向に押し戻し、逆転時には切り欠き部に誘導するよう傾斜させた誘導羽根４１ａを取り付けた形態に具体化できる。
【００１３】
図２では、環状堰板４には等分割された位置に３個の角形の切り欠き部４１が設けられ、その一側辺から内部に斜めに延びる誘導羽根４１ａが取り付けてある。この誘導羽根４１ａの役割は、回転ドラム１１を時計方向に回転（正回転）させる場合、この環状堰板４近傍の被乾燥物をこの誘導羽根４１ａによって入口方向に押し戻すものであり、このある程度の高さの環状堰板４と誘導羽根４１ａを設けたことにより、被乾燥物の滞留時間を調節できるのである。
そして、回転ドラム１１を反時計方向に回転（逆回転）させると被乾燥物をこの誘導羽根４１ａによって切り欠き部４１に誘導し、速やかに外部に排出することができるようになる。
【００１４】
さらに、この図２の環状堰板４には、前記切り欠き部４１、４１の間に第２の切り欠き部４２、４２、４２が設けてあり、この切り欠き部４２は３枚の着脱可能な遮蔽板４２ａによって閉鎖されている例が示してある。この場合、環状堰板４の全体の高さを変えなくとも、遮蔽板４２ａの一部または全部を着脱することにより、内部の被乾燥物の排出の難易度合いを調節することができる利点が得られる。
【００１５】
【発明の効果】
本発明のドラム乾燥機は、以上に説明したように構成されているので、回転ドラムを逆回転させて被乾燥物を排出できるドラム乾燥機において、正回転時（乾燥運転）における乾燥効率を向上させることが可能となり、また、その実施形態によれば、被乾燥物の性状によっては、出口側の堰板の形状を調節して滞留時間を調節できるなどの優れた効果がある。また、乾燥運転を停止した場合、逆回転させてドラムの出口側付近の加熱、乾燥状態の可燃物を速やかに排出でき、可燃物の発火など火災を防止できる。よって本発明は従来の問題点を解消したドラム乾燥機として、その工業的価値は極めて大なるものがある。
【図面の簡単な説明】
【図１】本発明の実施形態を説明するための回転ドラムの要部側面断面図（Ａ）、出口側断面図（Ｂ）。
【図２】本発明の環状堰板を示す回転ドラムの出口側端面斜視図。
【図３】従来のドラム乾燥機を示す側面断面図。
【符号の説明】
１１  回転ドラム、１２  支持ローラ、１３  駆動モータ、１４  外周ギャ、１５  投入口、１６  攪拌軸、１６ａ  攪拌羽根、１７ａ  熱風ノズル、１７  排出口、２１  回転ドラム出口、３１  リフタ、４  環状堰板、４１  切り欠き部、４１ａ  誘導羽根。
【図１】
0003625411.tif 000002
【図２】
0003625411.tif 000003
【図３】
0003625411.tif 000004